(57)【特許請求の範囲】
【請求項１】
太陽電池モジュールをベース材に固定して太陽電池モジュール一体型屋根材を構成するための固定部材であって、
太陽電池モジュールの端部を挟持する側断面が略コ字形で上水平部、垂直部、下水平部からなる保持部と、ベース材に固定される設置片と、該設置片に付設されたボルト及び該ボルトに締結されるナットと、該設置片をベース材に固定した際に下水平部とベース材との間に所定の隙間が形成されるように上記下水平部と設置片とを連結する連結部と、を備えたことを特徴とする固定部材。
【請求項２】
太陽電池モジュールを固定部材を介してベース材に固定してなる太陽電池モジュール一体型屋根材であって、
請求項１に記載の固定部材を用い、
上記固定部材の保持部により太陽電池モジュールの端部を挟持し、且つ、ボルト及びナットにより上記固定部材の設置片をベース材に固定することにより、太陽電池モジュールをベース材に固定してなることを特徴とする太陽電池モジュール一体型屋根材。
【請求項３】
請求項２に記載の太陽電池モジュール一体型屋根材における太陽電池モジュールの交換方法であって、
固定部材の保持部の上水平部を切除して太陽電池モジュールを取り外した後、固定部材の保持部の垂直部を切除し、新たな太陽電池モジュールを配置し、側断面が略コ字形で上水平部、垂直部、下水平部からなる挟持部材で、固定部材の保持部に残された下水平部と新たな太陽電池モジュールの端部とを挟持することにより、新たな太陽電池モジュールをベース材に固定することを特徴とする太陽電池モジュール一体型屋根材における太陽電池モジュールの交換方法。
【請求項４】
太陽電池モジュールをベース材に固定して太陽電池モジュール一体型屋根材を構成する際に太陽電池モジュールをベース材上に支持する支持部材であって、
太陽電池モジュールの端部を裏面から支持する下水平部と、ベース材に固定される設置片と、該設置片に付設されたボルト及び該ボルトに締結されるナットと、該設置片をベース材に固定した際に下水平部とベース材との間に所定の隙間が形成されるように上記下水平部と設置片とを連結する連結部と、を備えたことを特徴とする支持部材。
【請求項５】
太陽電池モジュールをベース材に固定してなる太陽電池モジュール一体型屋根材であって、
請求項４に記載の支持部材と、側断面が略コ字形で上水平部、垂直部、下水平部からなる挟持部材とを用い、
上記支持部材の下水平部上に太陽電池モジュールの端部を配置し、該太陽電池モジュールの端部と支持部材の下水平部とを上記挟持部材で挟持し、且つ、支持部材のボルト及びナットにより該支持部材の設置片をベース材に固定することにより、太陽電池モジュールをベース材に固定してなることを特徴とする太陽電池モジュール一体型屋根材。
【発明の詳細な説明】
【技術分野】
【０００１】
本発明は、建物の屋根面に敷設される屋根材に太陽電池モジュールを搭載した太陽電池モジュール一体型屋根材、太陽電池モジュールの固定部材及び交換方法に関する。
【背景技術】
【０００２】
太陽電池は、建物の屋根や窓などに取り付けて利用され、業務用のみならず、一般住宅用にも需要が拡大してきている。一般住宅用としては、種々の太陽電池付き屋根材が開発されている。
【０００３】
従来、太陽電池モジュール一体型屋根材では、太陽電池モジュールは、図１０に示すように、ボルト１０３を有する側断面コ字形の固定部材１０２を用いて、屋根材１０４に一体的に固定されている。即ち、太陽電池モジュール１０１は、緩衝材１０５を介してコ字形の固定部材１０２に挟持される。そして、太陽電池モジュール１０１を保持する固定部材１０２は、その設置片１０２ａに固定されたボルト１０３を屋根材１０４の貫通孔１０６に挿通し、屋根材１０４の表面に設置片１０２ａを密着させた状態で、上記ボルト１０３にナット１０７を螺合することにより、屋根材１０４上に固定されている。
【０００４】
例えば、特許文献１，２には、屋根材への設置側にボルトを有するコ字形の固定部材を用いて、太陽電池モジュールを屋根材に固定する技術が開示されている。
【０００５】
【特許文献１】特開２００１−３２４５４号公報
【特許文献２】特開２００１−９０２６４号公報
【発明の開示】
【発明が解決しようとする課題】
【０００６】
ところで、ボルトを有するコ字形の固定部材を用いて太陽電池モジュールを屋根材に一体固定する構造は、屋根面に施工後の太陽電池モジュールの交換が困難であるという問題がある。即ち、施工後には、締結したナットが屋根材の裏面側に位置するため、ナットを緩めて固定部材と共に太陽電池モジュールを屋根材から取り外すことができない。この場合、固定部材の上面側片を切除すれば太陽電池モジュールを取り外すこと可能であるが、太陽電池モジュールの交換後に、再度、固定部材を固定することができない。
【０００７】
特許文献１，２では、軒側のみをボルトを有するコ字形の固定部材を用いて固定し、棟側は取り外し可能な別構造の部材で固定する工夫がなされている。
【０００８】
しかしながら、固定部材の作製効率や、太陽電池モジュールを屋根材に固定する作業効率を考慮すれば、部品点数や作業方法の種類は少ない方が好ましく、軒側と棟側との双方の固定部材を共通化することが望ましい。
【０００９】
本発明の課題は、上記の事情に鑑み、屋根面への施工後に太陽電池モジュールの交換が可能で且つ容易であり、用いる固定部材を共通化して作業効率の良い太陽電池モジュール一体型屋根材、太陽電池モジュールの固定部材及び交換方法を提供することにある。
【課題を解決するための手段】
【００１０】
本発明の第１は、太陽電池モジュールをベース材に固定して太陽電池モジュール一体型屋根材を構成するための固定部材であって、
太陽電池モジュールの端部を挟持する側断面が略コ字形で上水平部、垂直部、下水平部からなる保持部と、ベース材に固定される設置片と、該設置片に付設されたボルト及び該ボルトに締結されるナットと、該設置片をベース材に固定した際に下水平部とベース材との間に所定の隙間が形成されるように上記下水平部と設置片とを連結する連結部と、を備えたことを特徴とする。
【００１１】
本発明の第２は、太陽電池モジュールを固定部材を介してベース材に固定してなる太陽電池モジュール一体型屋根材であって、
上記本発明第１の固定部材を用い、
上記固定部材の保持部により太陽電池モジュールの端部を挟持し、且つ、ボルト及びナットにより上記固定部材の設置片をベース材に固定することにより、太陽電池モジュールをベース材に固定してなることを特徴とする。
【００１２】
本発明の第３は、上記本発明第２の太陽電池モジュール一体型屋根材における太陽電池モジュールの交換方法であって、
固定部材の保持部の上水平部を切除して太陽電池モジュールを取り外した後、固定部材の保持部の垂直部を切除し、新たな太陽電池モジュールを配置し、側断面が略コ字形で上水平部、垂直部、下水平部からなる挟持部材で、固定部材の保持部に残された下水平部と新たな太陽電池モジュールの端部とを挟持することにより、新たな太陽電池モジュールをベース材に固定することを特徴とする。
【００１３】
本発明の第４は、太陽電池モジュールをベース材に固定して太陽電池モジュール一体型屋根材を構成する際に太陽電池モジュールをベース材上に支持する支持部材であって、
太陽電池モジュールの端部を裏面から支持する下水平部と、ベース材に固定される設置片と、該設置片に付設されたボルト及び該ボルトに締結されるナットと、該設置片をベース材に固定した際に下水平部とベース材との間に所定の隙間が形成されるように上記下水平部と設置片とを連結する連結部と、を備えたことを特徴とする。
【００１４】
本発明の第５は、太陽電池モジュールをベース材に固定してなる太陽電池モジュール一体型屋根材であって、
上記本発明第４の支持部材と、側断面が略コ字形で上水平部、垂直部、下水平部からなる挟持部材とを用い、
上記支持部材の下水平部上に太陽電池モジュールの端部を配置し、該太陽電池モジュールの端部と支持部材の下水平部とを上記挟持部材で挟持し、且つ、支持部材のボルト及びナットにより該支持部材の設置片をベース材に固定することにより、太陽電池モジュールをベース材に固定してなることを特徴とする。
【発明の効果】
【００１５】
本発明によれば、固定部材の保持部と設置片とを連結する連結部によって、屋根材（ベース材）と保持部との間に所定間隔以上の隙間が形成されるため、太陽電池モジュールを交換する際に、再固定用の挟持部材の一部を保持部と屋根材との隙間に進入させて、上記保持部に残された下水平部と共に太陽電池モジュールの端部を挟持することができる。従って、屋根面に施工後に任意の箇所の太陽電池モジュールのみを容易に交換することができ、用いる固定部材を共通化して作業効率を向上することができる。
【発明を実施するための最良の形態】
【００１６】
以下、本発明の実施の形態を図面に基づいて説明するが、本発明は本実施形態に限るものではない。
【００１７】
〔第１の実施形態〕
先ず、図１〜図６に本発明の太陽電池モジュール一体型屋根材の好ましい実施形態を挙げて、本発明の太陽電池モジュール一体型屋根材、及びその構成要素である固定部材について説明する。
【００１８】
図１は、本発明の第１の実施形態の太陽電池モジュール一体型屋根材を示す側断面図であり、図２は斜視図、図３，図４はそれぞれ、当該太陽電池モジュール一体型屋根材を屋根面に施工した状態の斜視図と側断面図である。図５は、当該太陽電池モジュール一体型屋根材の一端部の側断面図である。図６は、第１の実施形態の太陽電池モジュール一体型屋根材における固定部材と、後述する太陽電池モジュール交換用の挟持部材とを示す模式図である。
【００１９】
図１及び図２に示すように、本例の太陽電池モジュール一体型屋根材１は、屋根材としてのベース材１０上に、固定部材２０を介して、光電変換装置である太陽電池モジュール２を一体的に固定したものである。
【００２０】
本実施形態の太陽電池モジュール２は薄型太陽電池モジュールであって、扁平な直方体状を呈しており、封止材により光電変換素子が密閉されている。
【００２１】
太陽電池モジュール２を搭載するベース材１０は、例えば、セメント系の屋根材、粘土瓦または金属瓦等により形成されている。このベース材１０は、単純な平板形状であっても構わないが、外観を屋根材に似せるために、モジュール搭載部分１１の板厚が薄く形成され、その軒側端部において裏面側に突出した着座部１２が形成されている。
【００２２】
また、ベース材１０の棟側端部の裏面側には、後述する野地板３に当接する断面逆台形状の脚部１３が形成されており、その表面側には棟側に隣接するベース材１０の着座部１２が着座する縦方向ラップ部１４が延設されている。縦方向ラップ部１４は、上記モジュール搭載部分１１よりも板厚を増大させて突設され、モジュール搭載部分１１に太陽電池モジュール２を配置した際に、太陽電池モジュール２の上面と縦方向ラップ部１４の上面とが同一平面となるように形成されている。この縦方向ラップ部１４には、釘やビス等で固定する止着孔１７が開設されている。
【００２３】
さらに、左右方向（軒棟方向に直交する方向）の一端部には、隣接するベース材１０を上側に重ねる横方向ラップ部１５が延設されている。横方向ラップ部１５は、上記屈曲した着座部１２によってベース材１０の他端部に区画される下部空間１６に該横方向ラップ部１５が配置される。尚、本例では、横方向ラップ部１５が紙面上ベース材１０の左端部に延設されているが、これに限るものではなく、ベース材１０の右端部に延設してもよい。
【００２４】
図３及び図４に示すように、太陽電池モジュール一体型屋根材１は、野地板３等の屋根面上に沿って、瓦等の屋根材を縦横に敷設するように施工される。即ち、野地板３上に太陽電池モジュール一体型屋根材１を配置し、縦方向ラップ部１４の止着孔１７に不図示の釘やビス等を止着して固定する。左右方向における太陽電池モジュール一体型屋根材１の配置は、図３に示すように、横方向ラップ部１５上に左隣りの太陽電池モジュール一体型屋根材１の右端部が重なるように施工される。軒棟方向における太陽電池モジュール一体型屋根材１の配置は、図４に示すように、軒側の太陽電池モジュール一体型屋根材１の縦方向ラップ部１４上に棟側の太陽電池モジュール一体型屋根材１の着座部１２が着座して重なるように施工される。野地板３上には防水性のルーフ材が敷設される場合もあるが、本例の太陽電池モジュール一体型屋根材１の施工法は基本的に変わらない。
【００２５】
このようにして屋根面上に縦横に敷設された複数の太陽電池モジュール２は、不図示の接続ケーブルによって直列または／及び並列に電気的に接続される。
【００２６】
図５及び図６に示すように、本例の固定部材２０は側断面形状がコ字形を呈しており、太陽電池モジュール２の端部を表裏面側から挟持する保持部２１と、ベース材１０上に当接するように配置される設置片２２と、この設置片２２に設けられ、ベース材１０に固定するボルト２３ａ及びナット２３ｂとを備えている。本例では、太陽電池モジュール２の幅方向両端部を左右両側において２対の固定部材２０で保持している。
【００２７】
保持部２１は、太陽電池モジュール２の表面側に対向する上水平部２１ａと、その裏面側に対向する下水平部２１ｂと、その側面に対向し、上記上水平部２１ａ及び下水平部２１ｂを連結する垂直部２１ｃとから構成され、これらは連続してコ字形を呈している。
【００２８】
設置片２２と保持部２１の下水平部２１ｂとは連結部２４によって連結され、図６（ａ）に示すように、下水平部２１ｂ及び設置片２２が同一平面にならず、且つ、互いに平行になるように、連結部２４が下水平部２１及び設置片２２に対して傾いてこれらを連結している。これにより、設置片２２をベース材１０に当接させてボルト２３ａ及びナット２３ｂによって固定した際には、上記ベース材１０と下水平部２１ｂとの間に所定間隔以上の隙間Ｓが形成される。ここで、所定間隔以上の隙間Ｓとは、図６（ｂ）に示す、モジュール交換後の再固定用の挟持部材４０の下水平部４０ｂの板厚ｔ以上の間隔を有することを意味する。
【００２９】
ボルト２３ａは、設置片２２にベース材１０に向けて立設されており、ベース材１０を貫通するように起立している。従って、図１及び図５に示すように、ベース材１０の四隅近傍の４箇所には、上記ボルト２３ａを挿通させるための貫通孔１８が開設されており、このボルト２３ａをベース材１０の貫通孔１８に挿通させて、ベース材１０の裏面側に突き出したボルト２３ａにナット２３ｂを締結することにより、屋根材としてのベース材１０と太陽電池モジュール２とが固定部材２０を介して一体的に固定される。
【００３０】
固定部材２０の材質としては、例えば、鉄、鋼、ステンレス鋼、アルミ合金、その他の金属または合成樹脂等が挙げられる。
【００３１】
ベース材１０に開設した貫通孔１８から漏水するのを防止するために、固定部材２０の設置片２２とベース材１０との間に定形または不定形のシーリング材を介設したり、貫通孔１８内にシーリング材を充填してもよい。
【００３２】
また、ナット２３ｂは、ボルト２３ａに適合していればよいが、締結固定を確実にするために、セレートを備えたフランジ付き六角ナットを用いることが好ましい。
【００３３】
尚、固定部材２０の保持部２１で太陽電池モジュール２の端部を挟持する際には、太陽電池モジュール２の破損を防止するため、保持部２１と太陽電池モジュール２との間に緩衝材３０を介在させることが好ましい。緩衝材３０は、弾力性を有するものであればよく、例えば、ゴム、エラストマーまたは合成樹脂が挙げられる。
【００３４】
次に、図１の太陽電池モジュール一体型屋根材１における太陽電池モジュール２の交換方法について、図７に交換工程を示して説明する。図７において、（ａ）は、固定部材２０の上水平部２１ａを切除した状態を示す側断面図である。（ｂ）は、太陽電池モジュール２及び緩衝材３０を取り外した状態を示す側断面図である。（ｃ）は、固定部材２０の垂直部２１ｃを切除した状態を示す側断面図である。（ｄ）は、交換用の太陽電池モジュール２’及び緩衝材３０’を設置した状態を示す側断面図である。（ｅ）は、再固定用の挟持部材４０を設置した状態を示す側断面図である。
【００３５】
本例の太陽電池モジュール２の交換方法は、上記の如く構成された太陽電池モジュール一体型屋根材１を屋根面に施工した後に、不具合のある太陽電池モジュール２を取り外して交換用の太陽電池モジュール２’に交換する方法である。
【００３６】
先ず、図７（ａ）に示すように、太陽電池モジュール２の幅方向端部を表裏面側から挟持する固定部材２０の保持部２１における上水平部２１ａを切除して、図７（ｂ）に示すように、緩衝材３０と共に太陽電池モジュール２を取り外す。
【００３７】
さらに、図７（ｃ）に示すように、固定部材２０の保持部２１の垂直部２１ｃを切除すると、保持部２１には、上記設置片２２と連結部２４を介して連続する下水平部２３ｂのみが残存する。
【００３８】
そして、図７（ｄ）に示すように、上水平部２１ａ及び垂直部２１ｃを切除し、下水平部２１ｂのみが残存する保持部２１上に、緩衝材３０’を装着した交換用の太陽電池モジュール２’を載置する。
【００３９】
この状態において、下水平部２１ｂと設置片２２との間には連結部２４が存在するので、下水平部２１ｂとベース材１０との間には隙間Ｓが形成されている。この隙間Ｓを利用して、図７（ｅ）に示すように、上記下水平部２３ｂと共にその外側から上記太陽電池モジュール２の端部を挟持するように再固定用の挟持部材４０を装着する。本例における再固定用の挟持部材４０は、上記固定部材２０の保持部２１に類似した形状を有しており、相対向する上水平部４０ａと下水平部４０ｂ、及び、これらを連結する垂直部４０ｃとから構成され、これらは連続して側断面がコ字形を呈している。この挟持部材４０は、下水平部４０ｂを、固定部材２０の下水平部２３ｂとベース材１０との間に形成された隙間Ｓに進入させて装着されるので、上述したように、該隙間Ｓは挟持部材４０の下水平部４０ｂの板厚ｔ以上に設定されている。
【００４０】
また、挟持部材４０の上水平部４０ａと下水平部４０ｂとの距離、即ち垂直部４０ｃの高さＤは、（太陽電池モジュール２’の厚み＋固定部材２０の下水平部２１ｂの板厚＋緩衝材３０’の肉厚×２）と略同等か、緩衝材３０’の圧縮分だけ若干小さく設定されている。
【００４１】
本例では、図７に示したように、棟側の固定部材２０の上水平部２１ａを切除してモジュール２の交換作業を行う場合について説明したが、軒側の固定部材２０の上水平部２１ａを切除してモジュール２の交換作業を行ってもよい。即ち、太陽電池モジュール２を取り外すときには、切除した側の固定部材２０において太陽電池モジュール２を上方へ持ち上げ、そのまま切除側へとスライドさせることにより、太陽電池モジュール２を取り外すことができる。交換用の太陽電池モジュール２を設置するときは、取り外すときとは逆に、切除していない側の固定部材２０へ太陽電池モジュール２をスライドさせながら挿入保持し、切除した側の固定部材２０の上へ太陽電池モジュール２を降ろすことにより、太陽電池モジュール２を設置することができる。棟側または軒側の一方の固定部材２０の保持部２１の切除を行えば、太陽電池モジュール２の交換は可能であるが、棟側及び軒側との双方の固定部材２０を切除して交換作業を行っても構わない。
【００４２】
但し、棟側の固定部材２０の上水平部２１ａを切除する場合には、縦方向ラップ部１４と太陽電池モジュール２’との間に、挟持部材４０を取り付けるに充分な隙間が形成されている必要があるが、軒側の固定部材２０の上水平部２１ａを切除してモジュール２の交換作業を行う場合には、軒側に挟持部材４０の取付を邪魔する部材がないため、交換作業が容易である。
【００４３】
挟持部材４０の位置ずれを防止するため、挟持部材４０とベース材１０、または挟持部材４０と下水平部２１ｂとを接着剤などで接着してもよい。
【００４４】
以上説明したように、本発明の太陽電池モジュール一体型屋根材１によれば、連結部２４によって、下水平部２１ｂとベース材１０との間に所定間隔（挟持部材４０の下水平部４０ｂの板厚ｔ）以上の隙間Ｓが形成されている。これにより、保持部２１の上水平部２１ａ及び垂直部２１ｃを切除して太陽電池モジュール２を２’に交換した場合に、挟持部材４０の下水平部４０ｂを、固定部材２０の下水平部２１ｂとベース材１０との隙間Ｓに進入させて、該下水平部２１ｂと共にその外側から太陽電池モジュール２の幅方向端部を挟持させることができる。従って、屋根面に太陽電池モジュール一体型屋根材１を施工した後でも、任意の箇所の太陽電池モジュール２のみを容易に交換することができる。また、固定部材２０を全て共通化することにより、部品点数を減少させ、作業効率を向上させることができる。
【００４５】
尚、本例では、上記保持部２１の上水平部２１ａ及び垂直部２１ｃを切除して太陽電池モジュール２を交換しているが、少なくとも上水平部２１ａを切除すれば太陽電池モジュール２の交換は可能となる。この場合には、挟持部材４０の作製寸法を交換が可能なように適宜調整すればよい。
【００４６】
〔第２の実施形態〕
本発明においては、図５に示した固定部材２０を、太陽電池モジュール２を交換後の固定部材２０（即ち、上水平部２１ａと垂直部２１ｃを切除した形態）と挟持部材４０とを組み合わせた構成とすることによっても、同様の効果が得られる。
【００４７】
即ち、図８に示す支持部材５０と図６（ｂ）に示す挟持部材４０とで固定部材とする。支持部材５０は、図６（ａ）の固定部材２０の保持部２１の上水平部２１ａと垂直部２１ｃとを切除した形態である。
【００４８】
本例では、太陽電池モジュール２をベース材１０に取り付けた直後の状態が、前記第１の実施形態の太陽電池モジュール一体型屋根材１の太陽電池モジュール２を２’に交換した後と同様の構成となり、当該状態において太陽電池モジュール２’を交換する際には、挟持部材４０を取り外し、太陽電池モジュール２’を交換した後、取り外した挟持部材４０を再び取り付けて、或いは新たな挟持部材４０を取り付けて交換作業を終了する。
【００４９】
よって、本例では基本的には第１の実施形態の太陽電池モジュール一体型屋根材１と同様の作用効果を奏するが、上記したように、太陽電池モジュール２の交換時に第１の実施形態の如く上水平部２１ａの切除を必要としないため、交換作業の効率化を図ることができるものである。
【００５０】
尚、本例においても、挟持部材４０を取り外す際に上水平部４１ａを一旦切除してから太陽電池モジュール２を取り外し、挟持部材４０を取り外してもかまわない。
【００５１】
太陽電池モジュール２と支持部材５０及び挟持部材４０との固定に接着剤を用いている場合には、太陽電池モジュール２の交換作業の際に、太陽電池モジュール２とベース材１０との間に鋸やナイフ等の刃物を挿入し、接着層を切断する作業を加えることになる。
【００５２】
図９に本発明に用いられる挟持部材４０の斜視図を示す。本発明において、かかる挟持部材４０の下水平部４０ｂは、図９（ａ）に示すように、端部が上水平部４０ａや垂直部４０ｃと同様に垂直に切り落とした構成でもかまわないが、図９（ｂ）に示すように、両端部に外方へ向けて下り傾斜した案内テーパ部６０を形成しておくことにより、下水平部２１ｂとベース材１０との間に当該下水平部４０ｃを挿入し易くなり、挟持部材４０の装着が容易になる。さらに、図９（ｃ）に示すように、下水平部４０ｂの両端部に、左右方向外方に突き出して外方へ向けて下り傾斜した案内テーパ部６０を延設することにより、挟持部材４０の隙間Ｓへの挿入がより容易になる。
【図面の簡単な説明】
【００５３】
【図１】本発明の太陽電池モジュール一体型屋根材の一実施形態を示す側断面図である。
【図２】図１の太陽電池モジュール一体型屋根材の斜視図である。
【図３】図１の太陽電池モジュール一体型屋根材を屋根面に施工した状態の斜視図である。
【図４】図１の太陽電池モジュール一体型屋根材を屋根面に施工した状態の側断面図である。
【図５】図１の太陽電池モジュール一体型屋根材の部分断面図である。
【図６】図１の太陽電池モジュール一体型屋根材に用いた固定部材と太陽電池モジュール交換用の挟持部材を示す模式図である。
【図７】図１の太陽電池モジュール一体型屋根材における太陽電池モジュールの交換工程を示す部分断面図である。
【図８】本発明の支持部材の一実施形態を示す模式図である。
【図９】本発明に用いられる太陽電池モジュールの交換用挟持部材の構成例を示す斜視図である。
【図１０】従来の太陽電池モジュール一体型屋根材における要部を示す側断面図である。
【符号の説明】
【００５４】
１  太陽電池モジュール一体型屋根材
２，２’  太陽電池モジュール
３  野地板
１０  ベース材
１１  モジュール搭載部分
１２  着座部
１３  脚部
１４  縦方向ラップ部
１５  横方向ラップ部
１６  下部空間
１７  止着孔
１８  貫通孔
２０  固定部材
２１  保持部
２１ａ  上水平部
２１ｂ  下水平部
２１ｃ  垂直部
２２  設置片
２３ａ  ボルト
２３ｂ  ナット
２４  連結部
３０，３０’  緩衝材
４０  挟持部材
４０ａ  上水平部
４０ｂ  下水平部
４０ｃ  垂直部
５０  支持部材
６０  案内テーパ部
１０１  太陽電池モジュール
１０２  固定部材
１０２ａ  設置片
１０３  ボルト
１０４  屋根材
１０５  緩衝材
１０６  貫通孔
１０７  ナット
Ｓ  隙間
ｔ  板厚
Ｄ  挟持部材の間隔（垂直部の高さ）
【図１】
0004749865.tif 000002
【図２】
0004749865.tif 000003
【図３】
0004749865.tif 000004
【図４】
0004749865.tif 000005
【図５】
0004749865.tif 000006
【図６】
0004749865.tif 000007
【図７】
0004749865.tif 000008
【図８】
0004749865.tif 000009
【図９】
0004749865.tif 000010
【図１０】
0004749865.tif 000011